(57)【要約】【課題】ユーザによって指定される時刻とは別のタイミングで所持すべき物品をユーザに報知する。【解決手段】携帯電話機は自機の報知基準時刻における位置情報を取得する（ステップＳ３２）。携帯電話機は、報知基準時刻における自機の位置情報と報知基準時刻以降に取得される自機の位置情報とを比較し、自機が報知基準時刻から報知条件移動量移動したかを判定する（ステップＳ３６）。自機が報知基準時刻から報知条件移動量移動していれば（Ｓ３６：ＮＯ）、携帯電話機は、ユーザが所持すべき物品の名称を列挙した報知物品リストを作成し（ステップＳ４１）、報知物品リストをユーザに報知するための電子メールを自機のメールアドレス宛に送信する（ステップＳ４２）。【選択図】図１１
2009075820.tif 000002
【特許請求の範囲】
【請求項１】
自端末が所定の報知基準時刻を基準にした自端末の移動に係る所定の報知移動条件を満たす移動を行ったか否かを判定する判定手段と、
前記判定手段によって自端末の移動が前記報知移動条件を満たすと判定されると、記憶手段に記憶されている所持すべき物品に関する物品情報に基づいて所持すべき物品の報知を行う報知手段と、
を備えることを特徴とする携帯端末。
【請求項２】
前記報知移動条件は、自端末が前記報知基準時刻における自端末の位置から所定の移動量移動することであり、
前記携帯端末は、
自端末の位置を示す位置情報を取得する位置取得手段
を更に備え、
前記判定手段は、前記位置取得手段により前記報知基準時刻において取得される位置情報と当該報知基準時刻以降に取得される位置情報とに基づいて、自端末が前記報知移動条件を満たす移動を行ったか否かの判定を行う
ことを特徴とする請求項１記載の携帯端末。
【請求項３】
前記位置取得手段は、ＧＰＳ（Global Positioning System）により前記位置情報を取得する
ことを特徴とする請求項２記載の携帯端末。
【請求項４】
前記報知移動条件は、自端末が前記報知基準時刻における受信電波の受信強度に対して受信強度が所定量変動した場所へ移動することであり、
前記携帯端末は、
受信電波の受信強度を測定する強度測定手段
を更に備え、
前記判定手段は、前記強度測定手段により前記報知基準時刻において取得される受信強度と当該報知基準時刻以降において取得される受信強度とに基づいて、自端末が前記報知移動条件を満たす移動を行ったか否の判定を行う
ことを特徴とする請求項１記載の携帯端末。
【請求項５】
前記報知移動条件は、自端末が前記報知基準時刻における接続先の無線基地局と別の無線基地局に接続される場所へ移動することであり、
前記携帯端末は、
無線基地局から送信される信号から当該無線基地局を識別するための基地局識別情報を取得する基地局取得手段
を更に備え、
前記判定手段は、前記基地局取得手段により前記報知基準時刻において取得される基地局識別情報と当該報知基準時刻以降において取得される基地局識別情報とに基づいて、自端末が前記報知移動条件を満たす移動を行ったか否かの判定を行う
ことを特徴とする請求項１記載の携帯端末。
【請求項６】
前記報知手段は、前記所持すべき物品の報知を、当該物品を特定するための物品特定情報を含む電子メールを自端末のメールアドレス宛に送信することによって行う
ことを特徴とする請求項１記載の携帯端末。
【請求項７】
前記報知手段は、前記所持すべき物品の報知を、当該物品を特定するための物品特定情報を音声出力することによって行う
ことを特徴とする請求項１記載の携帯端末。
【請求項８】
前記記憶手段は、天気予報に関する天気予報情報に対応付けて前記所持すべき物品に関する物品情報を記憶しており、
前記携帯端末は、
天気予報情報を提供するサーバから天気予報情報を取得する予報取得手段と、
前記予報取得手段により取得される天気予報情報に基づいて、当該天気予報情報に対応付けて記憶されている前記物品情報を前記記憶手段から読み出す読出手段と、
を更に備え、
前記報知手段は、前記所持すべき物品の報知を、前記読出手段によって読み出される物品情報に基づいて行う
ことを特徴とする請求項１記載の携帯端末。
【請求項９】
物品に添付されたタグから当該物品を識別するためのタグ情報を読み取るタグ読取手段と、
前記報知手段により報知される物品の物品情報と、自端末が自端末の移動に係る所定の警告移動条件を満たす移動を行ったときの前記タグ読取手段により読み取られるタグ情報とに基づいて、当該報知される物品の中から、前記タグ読取手段によりタグ情報が読み取られなかったタグが添付された物品を忘れ物として検出する忘れ物検出手段と、
前記忘れ物検出手段によって忘れ物が検出されると、忘れ物があることを報知する警告手段と、
を更に備えることを特徴とする請求項１記載の携帯端末。
【請求項１０】
前記忘れ物検出手段によって検出された忘れ物を特定するための忘れ物情報を前記タグ読取手段によってタグ情報が読み取られた時刻に対応付けて記憶する履歴記憶手段
を更に備えることを特徴とする請求項９記載の携帯端末。
【請求項１１】
物品に添付されたタグから当該物品を識別するためのタグ情報を読み取るタグ読取手段と、
前記報知手段により報知される物品のうちのタグが添付された物品の物品情報と、自端末が自端末の移動に係る所定の警告移動条件を満たす移動を行ったときの前記タグ読取手段により読み取られるタグ情報とに基づいて、当該タグが添付された物品の中から、前記タグ読取手段によりタグ情報が読み取られなかったタグが添付された物品を忘れ物として検出する忘れ物検出手段と、
前記忘れ物検出手段によって忘れ物が検出されると、忘れ物があることを報知する警告手段と、
を更に備えることを特徴とする請求項１記載の携帯端末。
【請求項１２】
携帯端末のユーザに所持すべき物品を報知するための当該携帯端末で行われる物品報知方法であって、
携帯端末が所定の報知基準時刻を基準にした携帯端末の移動に係る所定の報知移動条件を満たす移動を行ったか否かを判定する判定ステップと、
前記判定ステップによって携帯端末の移動が前記報知移動条件を満たすと判定されると、記憶手段に記憶されている所持すべき物品に関する物品情報に基づいて所持すべき物品の報知を行う報知ステップと、
を有することを特徴とする物品報知方法。
【請求項１３】
携帯端末のユーザに所持すべき物品を報知するために当該携帯端末で行われる物品報知プログラムであって、
前記携帯端末が備える制御ユニットに、
携帯端末が所定の報知基準時刻を基準にした携帯端末の移動に係る所定の報知移動条件を満たす移動を行ったか否かを判定する判定ステップと、
前記判定ステップによって携帯端末の移動が前記報知移動条件を満たすと判定されると、記憶手段に記憶されている所持すべき物品に関する物品情報に基づいて所持すべき物品の報知を行う報知ステップと、
を行わせることを特徴とする物品報知プログラム。
【発明の詳細な説明】
【技術分野】
【０００１】
本発明は、所持すべき物品をユーザに報知する携帯端末、物品報知方法及び物品報知プログラムに関する。
【背景技術】
【０００２】
例えば、ユーザは出勤前に天気予報番組を視聴して天気予報によって出勤時に傘を持参するか否かを決めることがある。
ところが、出勤前に天気予報番組を視聴するための時間がないことがあり、この場合には天気予報によって傘を持参するか否かを判断することができない。
そこで、従来、ユーザの行き先の天気予報を自動的に取得し、取得した天気予報を画面表示するとともに、傘マークを画面表示する携帯端末がある（例えば、特許文献１参照。）。この携帯端末では、ユーザが傘を持参する場合、ユーザは傘マークをクリックして傘の持参を登録する。ユーザによって傘の持参が登録されると、携帯電話機は、予め指定された時刻（以下、指定時刻と言う。）に、或いは、予め指定された時間間隔（以下、指定時間間隔と言う。）で傘を置き忘れていないかの確認メッセージをユーザに通知する。
【特許文献１】特開２００３−２１６７５２号公報
【発明の開示】
【発明が解決しようとする課題】
【０００３】
ところで、ユーザが傘を持参し始めるのは外出を始める時であり、傘を置き忘れるのは移動中などである。このことを踏まえると、傘の持参に関する報知などが指定時刻などになされることは、必ずしも好ましいタイミングでの報知とは言えない。
そこで、本発明は、ユーザによって指定される時刻とは別のタイミングで傘などの所持すべき物品をユーザに報知する携帯端末、物品報知方法及び物品報知プログラムを提供することを目的とする。
【課題を解決するための手段】
【０００４】
上記目的を達成するために本発明の携帯端末は、自端末が所定の報知基準時刻を基準にした自端末の移動に係る所定の報知移動条件を満たす移動を行ったか否かを判定する判定手段と、前記判定手段によって自端末の移動が前記報知移動条件を満たすと判定されると、記憶手段に記憶されている所持すべき物品に関する物品情報に基づいて所持すべき物品の報知を行う報知手段と、を備える。
【０００５】
本発明の物品報知方法は、携帯端末のユーザに所持すべき物品を報知するための当該携帯端末で行われる物品報知方法であって、携帯端末が所定の報知基準時刻を基準にした携帯端末の移動に係る所定の報知移動条件を満たす移動を行ったか否かを判定する判定ステップと、前記判定ステップによって携帯端末の移動が前記報知移動条件を満たすと判定されると、記憶手段に記憶されている所持すべき物品に関する物品情報に基づいて所持すべき物品の報知を行う報知ステップと、を有する。
【０００６】
本発明の物品報知プログラムは、携帯端末のユーザに所持すべき物品を報知するために当該携帯端末で行われる物品報知プログラムであって、前記携帯端末が備える制御ユニットに、携帯端末が所定の報知基準時刻を基準にした携帯端末の移動に係る所定の報知移動条件を満たす移動を行ったか否かを判定する判定ステップと、前記判定ステップによって携帯端末の移動が前記報知移動条件を満たすと判定されると、記憶手段に記憶されている所持すべき物品に関する物品情報に基づいて所持すべき物品の報知を行う報知ステップと、を行わせる。
【発明の効果】
【０００７】
上記携帯端末、物品報知方法及び物品報知プログラムは、携帯端末が報知移動条件を満たす移動を行ったかを判定し、携帯端末が報知移動条件を満たす移動を行ったと判定すると所持すべき物品の報知を行う。これにより、携帯端末を携帯するユーザは、ユーザが所持すべき物品を所持し始める可能性がある前後で所持すべき物品の報知を受けることができる。
【０００８】
上記の携帯端末において、前記報知移動条件は、自端末が前記報知基準時刻における自端末の位置から所定の移動量移動することであり、前記携帯端末は、自端末の位置を示す位置情報を取得する位置取得手段を更に備え、前記判定手段は、前記位置取得手段により前記報知基準時刻において取得される位置情報と当該報知基準時刻以降に取得される位置情報とに基づいて、自端末が前記報知移動条件を満たす移動を行ったか否かの判定を行うようにしてもよい。
【０００９】
これによれば、ユーザが所定の移動量移動したときにユーザは所持すべき物品の報知を受けることができる。
上記の携帯端末において、前記位置取得手段は、ＧＰＳ（Global Positioning System）により前記位置情報を取得するようにしてもよい。
これによれば、ＧＰＳ機能を備えた携帯端末では、携帯端末の位置を示す位置情報を取得するための専用の部品を設ける必要がなく、コストの上昇を抑えることができる。
【００１０】
上記の携帯端末において、前記報知移動条件は、自端末が前記報知基準時刻における受信電波の受信強度に対して受信強度が所定量変動した場所へ移動することであり、前記携帯端末は、受信電波の受信強度を測定する強度測定手段を更に備え、前記判定手段は、前記強度測定手段により前記報知基準時刻において取得される受信強度と当該報知基準時刻以降において取得される受信強度とに基づいて、自端末が前記報知移動条件を満たす移動を行ったか否の判定を行うようにしてもよい。
【００１１】
これによれば、ユーザが受信電波の受信強度が所定量変動した場所に移動したときにユーザは所持すべき物品の報知を受けることができる。
上記の携帯端末において、前記報知移動条件は、自端末が前記報知基準時刻における接続先の無線基地局と別の無線基地局に接続される場所へ移動することであり、前記携帯端末は、無線基地局から送信される信号から当該無線基地局を識別するための基地局識別情報を取得する基地局取得手段を更に備え、前記判定手段は、前記基地局取得手段により前記報知基準時刻において取得される基地局識別情報と当該報知基準時刻以降において取得される基地局識別情報とに基づいて、自端末が前記報知移動条件を満たす移動を行ったか否かの判定を行うようにしてもよい。
【００１２】
これによれば、ユーザが携帯端末の接続先の無線基地局が切り替わる場所へ移動したときにユーザは所持すべき物品の報知を受けることができる。
上記の携帯端末において、前記報知手段は、前記所持すべき物品の報知を、当該物品を特定するための物品特定情報を含む電子メールを自端末のメールアドレス宛に送信することによって行うようにしてもよい。
【００１３】
このようにユーザに対する所持すべき物品の報知をユーザが携帯している携帯端末のメールアドレス宛の電子メールで行えば、ユーザは所持すべき物品の報知がなされたことを知って所持すべき物品を確認することが期待できる。
上記の携帯端末において、前記報知手段は、前記所持すべき物品の報知を、当該物品を特定するための物品特定情報を音声出力することによって行うようにしてもよい。
【００１４】
このようにユーザに対する所持すべき物品の報知を音声出力により行えば、ユーザは報知された所持すべき物品を知るための操作が不要となって、ユーザに課す負担の増加を抑えることができる。
上記の携帯端末において、前記記憶手段は、天気予報に関する天気予報情報に対応付けて前記所持すべき物品に関する物品情報を記憶しており、前記携帯端末は、天気予報情報を提供するサーバから天気予報情報を取得する予報取得手段と、前記予報取得手段により取得される天気予報情報に基づいて、当該天気予報情報に対応付けて記憶されている前記物品情報を前記記憶手段から読み出す読出手段と、を更に備え、前記報知手段は、前記所持すべき物品の報知を、前記読出手段によって読み出される物品情報に基づいて行うようにしてもよい。
【００１５】
これによれば、ユーザは天気予報情報に応じた所持すべき物品の報知を受けることができる。
上記の携帯端末において、物品に添付されたタグから当該物品を識別するためのタグ情報を読み取るタグ読取手段と、前記報知手段により報知される物品の物品情報と、自端末が自端末の移動に係る所定の警告移動条件を満たす移動を行ったときの前記タグ読取手段により読み取られるタグ情報とに基づいて、当該報知される物品の中から、前記タグ読取手段によりタグ情報が読み取られなかったタグが添付された物品を忘れ物として検出する忘れ物検出手段と、前記忘れ物検出手段によって忘れ物が検出されると、忘れ物があることを報知する警告手段と、を更に備えるようにしてもよい。
【００１６】
これによれば、ユーザは忘れ物をすれば忘れ物をした場所からあまり離れていない場所で忘れ物があることの報知を受けることができるので、ユーザの忘れ物の取得が容易になる。
上記の携帯端末において、前記忘れ物検出手段によって検出された忘れ物を特定するための忘れ物情報を前記タグ読取手段によってタグ情報が読み取られた時刻に対応付けて記憶する履歴記憶手段を更に備えるようにしてもよい。
【００１７】
これによれば、ユーザは履歴記憶手段の記憶内容を参照し、ユーザ自身の行動を照らし合わせることによって、ユーザは忘れ物をしたおおよその場所を推測でき、ユーザの忘れ物の取得が容易になる。
上記の携帯端末において、物品に添付されたタグから当該物品を識別するためのタグ情報を読み取るタグ読取手段と、前記報知手段により報知される物品のうちのタグが添付された物品の物品情報と、自端末が自端末の移動に係る所定の警告移動条件を満たす移動を行ったときの前記タグ読取手段により読み取られるタグ情報とに基づいて、当該タグが添付された物品の中から、前記タグ読取手段によりタグ情報が読み取られなかったタグが添付された物品を忘れ物として検出する忘れ物検出手段と、前記忘れ物検出手段によって忘れ物が検出されると、忘れ物があることを報知する警告手段と、を更に備えるようにしてもよい。
【００１８】
これによれば、ユーザは忘れ物をすれば忘れ物をした場所からあまり離れていない場所で忘れ物があることの報知を受けることができるので、ユーザの忘れ物の取得が容易になる。
また、報知される所持すべき物品の全てにタグが添付されているとは限らないことから、忘れ物の検出の対象をタグが添付された物品にすることによって、タグが添付されていない物品が忘れ物として検出される不具合を回避することができる。
【発明を実施するための最良の形態】
【００１９】
以下、本発明の実施の形態について図面を参照しつつ説明する。
≪システム構成≫
本実施の形態の携帯電話機を含むシステムのシステム構成について図１を参照しつつ説明する。図１は本実施の形態の携帯電話機を含むシステムのシステム構成図である。
図１に示すシステムにおいて、携帯電話機１は、音声通信網２に設置された無線基地局３の何れかに無線接続され、音声通信網２に接続された機器と音声通信を行う。また、携帯電話機１は、データ通信網４に設置された無線基地局５の何れかに無線接続され、データ通信網４に接続された機器とデータ通信を行う。
【００２０】
データ通信網４には、天気予報提供業者によって構築された天気予報提供用のサーバ６が接続されている。携帯電話機１は、無線基地局５及びデータ通信網４を介して、サーバ６から天気予報を含む天気予報情報を取得する。
携帯電話機１は、ＧＰＳ（Global Positioning System）衛星７（図１では１基のみ図示）によって発せられる電波に基づいて自機の位置を示す位置情報を取得する。
【００２１】
携帯電話機１は、所持すべき物品をユーザに報知するための物品報知機能及びユーザに報知した物品がユーザの周辺にないことをユーザに警告するための忘れ物警告機能を有する。
但し、物品報知機能では、ＧＰＳに基づく位置情報やサーバ６から取得する天気予報情報が利用される。また、忘れ物警告機能では、ＧＰＳに基づく位置情報や物品に添付されたＲＦ（Radio Frequency）タグから読み取った物品を識別するためのタグ情報が利用される。
【００２２】
以下に、携帯電話機１の物品報知機能及び忘れ物警告機能の詳細について説明する。
≪携帯電話機の構成≫
本実施の形態の携帯電話機１の構成について図２を参照しつつ説明する。図２は本実施の形態の携帯電話機１の構成図である。
携帯電話機１は、制御部１１、記憶部１２、操作部１３、表示部１４、位置情報取得部１５、アンテナ１５ａ、タグ情報読取部１６、タイマ１７、音声通信部１８、アンテナ１８ａ、データ通信部１９、アンテナ１９ａ、音声処理部２０、スピーカ２０ａ、及びマイク２０ｂを備える。
【００２３】
制御部１１は、携帯電話機１の各種制御及び各種演算を行うものであり、物品報知機能及び忘れ物警告機能を実現する機能については後述する。
記憶部１２には、携帯電話機１の制御を行うための各種制御プログラムや各種アプリケーションプログラムが記憶されている。また、図１０から図１２に示す動作フローを携帯電話機１に行わせるためのプログラムが記憶されている。
【００２４】
また、記憶部１２には、図３に一例を示すスケジュールデータベース１２ａ、図４に一例を示す標準物品データベース１２ｂ、図５に一例を示す天候物品データベース１２ｃ、及び図６に一例を示す忘れ物履歴データベース１２ｄが記憶されている。
図３に一例を示すスケジュールデータベース（以下、スケジュールＤＢと言う。）１２ａは、年月日毎にユーザの予定を示す予定情報を記憶するためのデータベースである。本実施の形態における予定情報は、用向き、行き先、出発予定時刻及び予定滞在時間帯である。なお、用向きは、出張や娯楽（遊園地、映画など）など外出する用件である。行き先は、外出する先であって、例えば神戸や大阪などである。出発予定時刻は、行き先へ出発する予定の時刻である。予定滞在時間帯は、行き先に滞在する予定の時間帯であって、例えば、会議時間や上映時間である。
【００２５】
なお、スケジュールＤＢ１２ａには、図示していないが、平日にはユーザの通常時の予定情報が記憶されている。通常時の予定情報は、例えば、用向きとして出勤、出発予定時刻として勤務先へ出かける時刻、行き先として勤務先の所在地、予定滞在時刻として勤務時間帯である。
図４に一例を示す標準物品データベース（以下、標準物品ＤＢと言う。）１２ｂは、用向きに応じて所持すべき物品を列挙したリスト（以下、標準物品リストと言う。）を記憶するためのデータベースである。標準物品リストに列挙された物品は、用向きに応じてユーザによって登録された物品であって、天候などに関係なくユーザに報知される。図４の例では、標準物品ＤＢ１２ｂには、用向き“出勤”、“出張”、“娯楽”の夫々に対する標準物品リストが記憶されている。例えば、用向き“出勤”に対する標準物品リストには、鞄、財布、定期（定期入れ）及び社員証が含まれている。
【００２６】
図５に一例を示す天候物品データベース（以下、天候物品ＤＢと言う。）１２ｃは、用向きに応じて天候（気温と降水確率との組み合わせ）毎に所持すべき物品を列挙したリスト（以下、天候物品リストと言う。）を記憶するためのデータベースである。天候物品リストに列挙された物品は、用向きと天候とに応じてユーザによって登録された物品であって、天候に応じてユーザに報知される。図５の例では、用向き“出勤”と用向き“出張”とに対応する天候毎の天候物品リストと、用向き“娯楽”に対応する天候毎の天候物品リストとが記憶されている。例えば、用向き“娯楽”では、気温が１０度未満で降水確率３０％未満の天候物品リストにはマフラーが含まれており、気温が２５度以上で降水確率３０％未満の天候物品リストには帽子及びサングラスが含まれている。
【００２７】
図６に一例を示す忘れ物履歴データベース（以下、忘れ物履歴ＤＢと言う。）１２ｄは、携帯電話機１の忘れ物警告機能で取得される忘れ物を忘れ物が検出された時刻に対応付けて記憶するためのデータベースである。ここで、忘れ物は、物品報知機能でユーザに報知した物品のうちタグ情報読取部１６によりタグ情報が読み取られなかった物品である。なお、ユーザは、忘れ物履歴ＤＢ１２ｄの記憶内容を参照して、ユーザ自身の行動時刻と照らし合わせることによって忘れ物をしたおおよその場所を推測できる。
【００２８】
なお、記憶部１２には、用向き“娯楽”に対応して“映画”や“遊園地”などが記憶されている。これにより、スケジュールＤＢ１２ａの予定情報に含まれる“映画”や“遊園地”などから用向き“娯楽”が特定できるようになっている。
操作部１３は、各種キーから構成されており、押下されたキーの押下信号を制御部１１へ出力する。
【００２９】
表示部１４は、液晶ディスプレイなどにより構成されており、制御部１１から入力される表示データに基づく表示を行う。表示部１４には、例えば、図７に一例を示す標準物品登録画面や、図８に一例を示す天候物品登録画面が表示される。
図７に一例を示す標準物品登録画面には、出勤、出張、娯楽といった用向きをテキストで入力するための用向き入力欄３１や、所持すべき物品の名称をテキストで入力するための物品入力欄３２が設けられている。但し、用向き入力欄３１に２以上の用向きを入力することが可能であり、物品入力欄３２に２以上の物品を入力することが可能である。
【００３０】
また、標準物品登録画面には、標準物品ＤＢ１２ｂへの標準物品リストの登録を行う際に押下される登録ボタン３３や、標準物品ＤＢ１２ｂへの標準物品リストの登録を中止する際に押下されるキャンセルボタン３４が設けられている。
図８に一例を示す天候物品登録画面には、出勤、出張、娯楽といった用向きをテキストで入力するための用向き入力欄３６や、所持すべき物品の名称をテキストで入力するための物品入力欄３７が設けられている。但し、用向き入力欄３６には、２以上の用向きを入力することが可能である。また、物品入力欄３７には、気温と降水確率との組み合わせ毎に１つの入力欄が設けられており、各入力欄には２以上の物品を入力することが可能である。
【００３１】
また、天候物品登録画面には、天候物品ＤＢ１２ｃへの天候物品リストの登録を行う際に押下される登録ボタン３８や、天候物品ＤＢ１２ｃへの天候物品リストの登録を中止する際に押下されるキャンセルボタン３９が設けられている。
アンテナ１５ａはＧＰＳ衛星７によって発せられた電波を受信する。位置情報取得部１５は、アンテナ１５ａによって受信された電波に基づいて携帯電話機１の位置（緯度、経度及び高度）を算出し、算出した位置を示す位置情報を制御部１１へ出力する。
【００３２】
タグ情報読取部１６は、ＲＦタグからタグ情報を読み取り、読み取ったタグ情報を制御部１１へ出力する。
タイマ１７は、時刻を計時し、計時した時刻を制御部１１へ出力する。
音声通信部１８は、音声通信用の通信部であり、制御部１１によって制御されてアンテナ１８ａを介して音声通信網２に接続された機器と音声信号を送受信する。
【００３３】
データ通信部１９は、データ通信用の通信部であり、制御部１１によって制御されてアンテナ１９ａを介してデータ通信網４に接続された機器とデータ信号を送受信する。なお、電信メールの送受信や、サーバ６との信号の送受信はデータ通信部１９により行われる。
音声処理部２０は、制御部１１から入力されるデジタル信号をアナログ信号に変換してスピーカ２０ａへ出力し、スピーカ２０ａは音声処理部２０から入力されるアナログ信号を音に変換して出力する。マイク２０ｂはマイク周辺の音を集めて音声処理部２０へ出力し、音声処理部２０はマイク２０ｂから入力されるアナログ信号をデジタル信号に変換して制御部１１へ出力する。
【００３４】
≪制御部の機能構成≫
図２の制御部１１の機能構成について図９を参照しつつ説明する。図９は図２の制御部１１の機能構成図である。
制御部１１は、物品報知機能及び忘れ物警告機能において、登録処理部５０と、報知処理部６０と、警告処理部７０として動作する。
【００３５】
（登録処理部）
登録処理部５０は、標準物品ＤＢ１２ｂへ標準物品リストを登録するとともに、天候物品ＤＢ１２ｃへ天候物品リストを登録する処理部であって、表示処理部５１と物品登録部５２とを有する。
表示処理部５１は、操作部１３からの押下信号に基づいて、ユーザによる表示操作に対応した標準物品登録画面（図７参照）或いは天候物品登録画面（図８参照）を表示部１４に表示する。
【００３６】
物品登録部５２は、標準物品登録画面の各入力欄３１、３２に対する入力内容に基づいて標準物品ＤＢ１２ｂに標準物品リストに登録し、天候物品登録画面の各入力欄３６、３７に対する入力内容に基づいて天候物品ＤＢ１２ｃに天候物品リストを登録する。
（報知処理部）
報知処理部６０は、ユーザに対して所持すべき物品を報知する処理部であって、位置取得指令部６１と移動条件判定部６２と予報情報取得部６３と報知リスト作成部６４とメール処理部６５とを備える。
【００３７】
位置取得指令部６１は、タイマ１７から入力される時刻（以下、現在時刻と言う。）がユーザによって指定された時刻（以下、報知基準時刻と言う。）になると、携帯電話機１の位置情報の取得を指令するための第１報知取得指令信号を移動条件判定部６２へ出力する。そして、位置取得指令部６１は、第１報知取得指令信号を移動条件判定部６２へ出力してから、移動条件判定部６２から後述する指令停止信号が入力されるまで、所定時間間隔で携帯電話機１の位置情報の取得を指令するための第２報知取得指令信号を移動条件判定部６２へ出力する。但し、所定時間は例えば５秒である。なお、以下において、この所定時間を報知判定時間と言い、位置取得指令部６１が第２報知取得指令信号を移動条件判定部６２へ出力する時刻を報知判定時刻と言う。
【００３８】
移動条件判定部６２は、位置取得指令部６１から第１報知取得指令信号が入力されると、位置情報取得部１５から報知基準時刻における携帯電話機１の位置情報を取得し、取得した位置情報を報知基準位置情報に設定する。
また、移動条件判定部６２は、位置取得指令部６１から第２報知取得指令信号が入力されると、位置情報取得部１５から報知判定時刻における携帯電話機１の位置情報を取得し、取得した位置情報を報知判定位置情報に設定する。続いて、移動条件判定部６２は、報知基準位置情報と報知判定位置情報に基づいて、携帯電話機１が報知基準時刻から予め定められた移動量（以下、報知条件移動量と言う。）移動したかを判定する。なお、報知条件移動量は例えば２ｍである。そして、判定の結果、携帯電話機１が報知条件移動量移動していれば、移動条件判定部６２は、指令停止信号を位置取得指令部６１へ出力するとともに、天気予報情報の取得を指令するための予報取得指令信号を予報情報取得部６３へ出力する。
【００３９】
予報情報取得部６３は、スケジュールＤＢ１２ａの予定情報を参照し、報知基準時刻以降の最初の用向きを基に、天気予報情報を取得する地域と時刻との組を特定する。なお、天気予報情報を取得する地域と時刻との組は、現在地を含む地域と出発予定時刻との組、行き先を含む地域と滞在予定時間帯の開始時刻との組、及び行き先を含む地域と滞在予定時間帯の終了時刻との組、である。
【００４０】
そして、予定情報取得部６３は、特定した地域と時刻との組の夫々を含む天気予報情報を要求するためのリクエスト信号（以下、予報リクエスト信号と言う。）をサーバ６に対して送信する。
予報情報取得部６３は、予報リクエスト信号の応答としてサーバ６から返信される天気予報情報を含むレスポンス信号（以下、予報レスポンス信号と言う。）を受信し、受信した予報レスポンス信号に含まれる天気予報情報を報知リスト作成部６４へ出力する。但し、天気予報情報には、特定した地域と時刻との組の夫々に関する、特定した時刻における特定した地域の気温及び降水確率が含まれている。
【００４１】
報知リスト作成部６４は、スケジュールＤＢ１２ａの予定情報を参照して報知基準時刻以降の最初の用向きを特定し、特定した用向きに対応して記憶されている標準物品リストを標準物品ＤＢ１２ｂから読み出す。
これとともに、報知リスト作成部６４は、特定した用向きに関して天気予報情報に含まれる気温と降水確率との組の各々に対応して記憶されている天候物品リストを天候物品ＤＢ１２ｃから読み出す。
【００４２】
続いて、報知リスト作成部６４は、読み出した標準物品リストに含まれる物品の名称と読み出した各天候物品リストに含まれる物品の名称との全てを列挙した報知物品リストを作成する。そして、報知リスト作成部６４は、作成した報知物品リストをメール処理部６５と警告処理部７０内の後述する忘れ物検出部７３とへ出力する。
メール処理部６５は、メール本文に報知リスト作成部６４から入力される報知物品リストに列挙された物品の名称をテキストで記載した電子メールを作成し、作成した電子メールを携帯電話機１のメールアドレス宛に送信する。そして、メール処理部６５は、警告処理部７０に忘れ物警告機能による忘れ物警告動作を開始させるための警告開始指令信号を警告処理部７０内の後述する位置取得指令部７１へ出力する。
【００４３】
（警告処理部）
警告処理部７０は、ユーザに対して忘れ物をしていることを警告する処理部であって、位置取得指令部７１と移動条件判定部７２と忘れ物検出部７３と警告発生部７４と忘れ物履歴登録部７５とを備える。
位置取得指令部７１は、メール処理部６５から警告開始指令信号或いは移動条件判定部７２から後述する警告継続指令信号が入力されると、携帯電話機１の位置情報の取得を指令するための第１警告取得指令信号を移動条件判定部７２へ出力する。なお、以下において、位置取得指令部７１が第１警告取得指令信号を移動条件判定部７２へ出力する時刻を警告基準時刻と言う。
【００４４】
そして、位置取得指令部７１は、第１警告取得指令信号を移動条件判定部７２へ出力した後、所定時間間隔で携帯電話機１の位置情報の取得を指令するための第２警告取得指令信号を移動条件判定部７２へ出力する。但し、所定時間は例えば１分である。なお、以下において、この所定時間を警告判定時間と言い、位置取得指令部７１が第２警告取得指令信号を移動条件判定部７２へ出力する時刻を警告判定時刻と言う。
【００４５】
但し、位置取得指令部７１は、操作部１３から忘れ物警告動作の終了に関する押下信号が入力されると、移動条件判定部７２への第１警告取得指令信号及び第２警告取得指令信号の出力処理を終了する。
移動条件判定部７２は、位置取得指令部７１から第１警告取得指令信号が入力されると、位置情報取得部１５から警告基準時刻における携帯電話機１の位置情報を取得し、取得した位置情報を警告基準位置情報に設定する。
【００４６】
また、移動条件判定部７２は、位置取得指令部７１から第２警告取得指令信号が入力されると、位置情報取得部１５から警告判定時刻における携帯電話機１の位置情報を取得し、取得した位置情報を警告判定位置情報に設定する。続いて、移動条件判定部７２は、警告基準位置情報と警告判定位置情報とに基づいて、携帯電話機１が報知物品リストを含む電子メールを送信してから（忘れ物検出を行った後は、直近の忘れ物検出を行ってから）予め定められた移動量（以下、警告条件移動量と言う。）移動したかを判定する。なお、警告条件移動量は例えば１０ｍである。そして、判定の結果、携帯電話機１が警告条件移動量移動していれば、移動条件判定部７２は、忘れ物検出部７３に忘れ物の検出を行わせるための忘れ物検出指令信号を忘れ物検出部７３へ出力するとともに、警告継続指令信号を位置取得指令部７１へ出力する。
【００４７】
忘れ物検出部７３は、移動条件判定部７２から忘れ物検出指令信号が入力されると、忘れ物検出指令信号が入力された時刻においてタグ情報読取部１６によって読み取られたタグ情報をタグ情報読取部１６から取得する。なお、以下において、忘れ物検出部７３がタグ情報読取部１６からタグ情報を取得した時刻を忘れ物検出時刻と言う。
そして、忘れ物検出部７３は、報知リスト作成部６４から入力された報知物品リストとタグ情報読取部１６から取得したタグ情報とを比較する。そして、忘れ物検出部７３は、比較の結果に基づいて、報知物品リストに列挙された物品の中からタグ情報読取部１６によってタグ情報が読み取られなかった物品（忘れ物）の検出を行う。忘れ物検出部７３は、忘れ物を検出すれば、警告発生部７４に警告音の出力処理を行わせるための警告発生指令信号を警告発生部７４へ出力する。これとともに、忘れ物検出部７３は、忘れ物検出時刻と各忘れ物の名称を含む忘れ物情報とを忘れ物履歴登録部７５へ出力する。
【００４８】
警告発生部７４は、忘れ物検出部７３から警告発生指令信号が入力されると、警告音をスピーカ２０ａから出力するための処理を行う。
忘れ物履歴登録部７５は、忘れ物検出部７３から忘れ物検出時刻と忘れ物情報とが入力されると、忘れ物履歴ＤＢ１２ｄのフィールド「時刻」と「忘れ物」との夫々に忘れ物検出時刻と忘れ物情報とを対応付けて登録する。
【００４９】
≪制御部の動作≫
（物品登録動作）
図２の制御部１１による記憶部１２の標準物品ＤＢ１２ｂへの標準物品リストの登録及び天候物品ＤＢ１２ｃへの天候物品リストの登録について図１０を参照しつつ説明する。図１０は制御部１１の標準物品リスト及び天候物品リストの物品登録動作の流れを示すフローチャートである。
【００５０】
表示処理部５１は、操作部１３から入力される押下信号を監視して、ユーザによる標準物品登録画面（図７参照）の表示操作と天候物品登録画面（図８参照）の表示操作とを待つ（ステップＳ１）。ユーザによる表示操作があると、表示処理部５１は、ユーザによる表示操作が、標準物品登録画面の表示操作か、天候物品登録画面の表示操作かを判定する（ステップＳ２）。
【００５１】
表示操作が標準物品登録画面の表示操作であった場合（Ｓ２：標準）、表示処理部５１は表示部１４に標準物品登録画面を表示する（ステップＳ３）。標準物品登録画面が表示されているときに、標準物品登録画面において、ユーザは操作部１３を利用して用向き入力欄３１や物品入力欄３２に対する入力操作を行い、その後、登録ボタン３３を押下する。或いは、ユーザはキャンセルボタン３４を押下する。
【００５２】
物品登録部５２は、操作部１３から入力される押下信号を監視して、ユーザによる登録ボタン３３の押下操作とキャンセルボタン３４の押下操作とを待つ（ステップＳ４）。ユーザによるボタンの押下操作があると、物品登録部５２は、ユーザによる押下ボタンが登録ボタン３３であるか、キャンセルボタン３４であるかを判定する（ステップＳ５）。
押下ボタンが登録ボタン３３であった場合（Ｓ５：登録）、物品登録部５２は、用向き入力欄３１に対する入力内容と物品入力欄３２に対する入力内容とに基づいて標準物品リストを標準物品ＤＢ１２ｂに登録する（ステップＳ６）。そして、物品登録部５２は、表示部１４の表示内容を標準物品登録画面の表示前の画面に戻すように表示処理部５１に対して命令する。表示処理部５１は、この命令を受けて、表示部１４に標準物品登録画面の表示前の画面を表示し（ステップＳ７）、ステップＳ１の処理へ移行する。
【００５３】
押下ボタンがキャンセルボタン３４であった場合（Ｓ５：キャンセル）、物品登録部５２は、表示部１４の表示内容を標準物品登録画面の表示前の画面に戻すように表示処理部５１に対して命令する。表示処理部５１は、この命令を受けて、表示部１４に標準物品登録画面の表示前の画面を表示し（ステップＳ７）、ステップＳ１の処理へ移行する。
ステップＳ２の判定において、表示操作が天候物品登録画面の表示操作であった場合（Ｓ２：天候）、表示処理部５１は表示部１４に天候物品登録画面を表示する（ステップＳ８）。天候物品登録画面が表示されているときに、天候物品登録画面において、ユーザは操作部１３を利用して用向き入力欄３６や物品入力欄３７に対する入力操作を行い、その後、登録ボタン３８を押下する。或いは、ユーザはキャンセルボタン３９を押下する。
【００５４】
物品登録部５２は、操作部１３から入力される押下信号を監視して、ユーザによる登録ボタン３８の押下操作とキャンセルボタン３９の押下操作とを待つ（ステップＳ９）。ユーザによるボタンの押下操作があると、物品登録部５２は、ユーザによる押下ボタンが登録ボタン３８であるか、キャンセルボタン３９であるかを判定する（ステップＳ１０）。
押下ボタンが登録ボタン３８であった場合（Ｓ１０：登録）、物品登録部５２は、用向き入力欄３６に対する入力内容と物品入力欄３７に対する入力内容とに基づいて天候物品リストを天候物品ＤＢ１２ｃに登録する（ステップＳ１１）。そして、物品登録部５２は、表示部１４の表示内容を天候物品登録画面の表示前の画面に戻すように表示処理部５１に対して命令する。表示処理部５１は、この命令を受けて、表示部１４に天候物品登録画面の表示前の画面を表示し（ステップＳ１２）、ステップＳ１の処理へ移行する。
【００５５】
押下ボタンがキャンセルボタン３９であった場合（Ｓ１０：キャンセル）、物品登録部５２は、表示部１４の表示内容を天候物品登録画面の表示前の画面に戻すように表示処理部５１に対して命令する。表示処理部５１は、この命令を受けて、表示部１４に天候物品登録画面の表示前の画面を表示し（ステップＳ１２）、ステップＳ１の処理へ移行する。
（物品報知及び忘れ物警告動作）
図２の制御部１１によるユーザへの所持すべき物品の報知及び忘れ物の警告について図１１及び図１２を参照しつつ説明する。図１１及び図１２は制御部１１の物品報知動作及び忘れ物警告動作の流れを示すフローチャートである。
【００５６】
位置取得指令部６１は、タイマ１７から入力される時刻（現在時刻）が報知基準時刻になったか否かを判定する（ステップＳ３１）。現在時刻が報知基準時刻になるまで（Ｓ３１：ＮＯ）、ステップＳ３１の処理が継続して行われる。
現在時刻が報知基準時刻になると（Ｓ３１：ＹＥＳ）、位置取得指令部６１は、移動条件判定部６２へ第１報知取得指令信号を出力する。移動条件判定部６２は、位置取得指令部６１から第１報知取得指令信号が入力されると、報知基準時刻における携帯電話機１の位置情報を位置情報取得部１５から取得し、取得した位置情報を報知基準位置情報に設定する（ステップＳ３２）。
【００５７】
位置取得指令部６１は、報知基準時刻に報知判定時間を加算した時刻を報知判定時刻に設定する（ステップＳ３３）。
位置取得指令部６１は、タイマ１７から入力される現在時刻が報知判定時刻になったかを判定する（ステップＳ３４）。現在時刻が報知判定時刻になるまで（Ｓ３４：ＮＯ）、ステップＳ３４の処理が継続して行われる。
【００５８】
現在時刻が報知判定時刻になると（Ｓ３４：ＹＥＳ）、位置取得指令部６１は、移動条件判定部６２へ第２報知取得指令信号を出力する。移動条件判定部６２は、位置取得指令部６１から第２報知取得指令信号が入力されると、報知判定時刻における携帯電話機１の位置情報を位置情報取得部１５から取得し、取得した位置情報を報知判定位置情報に設定する（ステップＳ３５）。
【００５９】
移動条件判定部６２は、報知基準位置情報と報知判定位置情報とに基づいて、携帯電話機１が報知基準時刻から報知条件移動量移動したかを判定する（ステップＳ３６）。携帯電話機１が報知条件移動量移動していなければ（Ｓ３６：ＮＯ）、位置取得指令部６１は、報知判定時刻に報知判定時間を加算した時刻を報知判定時刻に再設定する（ステップＳ３７）。そして、ステップＳ３４の処理が行われる。
【００６０】
携帯電話機１が報知条件移動量移動していれば（Ｓ３６：ＹＥＳ）、移動条件判定部６２は、指令停止信号を位置取得指令部６１へ出力するとともに、予報取得指令信号を予報情報取得部６３へ出力する。予報情報取得部６３は、移動条件判定部６２から予報取得指令信号が入力されると、予報リクエスト信号をサーバ６へ送信し、予報リクエスト信号のレスポンスとしてサーバ６から天気予報情報を含む予報レスポンス信号を受信する。そして、予報情報取得部６３は、受信した予報レスポンス信号に含まれる天気予報情報を報知リスト作成部６４へ出力する（ステップＳ３８）。
【００６１】
報知リスト作成部６４は、スケジュールＤＢ１２ａを参照して報知基準時刻以降の最初の用向きを特定し、特定した用向きに対応した標準物品リストを標準物品ＤＢ１２ｂから読み出す（ステップＳ３９）。これとともに、報知リスト作成部６４は、特定した用向きに関する予報情報取得部６３から入力された天気予報情報に含まれる気温と降水確率との組の各々に対応した天候物品リストを天候物品ＤＢ１２ｃから読み出す（ステップＳ４０）。続いて、報知リスト作成部６４は、読み出した標準物品リストに含まれる物品の名称と読み出した各天候物品リストに含まれる物品の名称との全てを列挙した報知物品リストを作成する。そして、報知リスト作成部６４は、作成した報知物品リストをメール処理部６５と警告処理部７０内の忘れ物検出部７３とへ出力する（ステップＳ４１）。
【００６２】
メール処理部６５は、メール本文に報知リスト作成部６４から入力される報知物品リストに列挙された物品の名称をテキストで記載した電子メール（以下、報知メールと言う。）を作成し、作成した報知メールを自機のメールアドレス宛に送信する（ステップＳ４２）。
なお、携帯電話機１は報知メールを受信すると、例えばメールの着信音をスピーカ２０ａから出力する。ユーザは着信音によって携帯電話機１に報知メールが届いたことを知り、その報知メールの内容を閲覧することによって所持すべき物品を知ることができる。
【００６３】
上記のステップＳ３１からステップＳ４２までの処理が制御部１１による物品報知動作の処理フローである。
メール処理部６５は、報知メールを自機のメールアドレス宛に送信すると、警告処理部７０内の位置取得指令部７１へ警告開始指令信号を出力し、位置取得指令部７１は、警告開始指令信号の入力を受けて、移動条件判定部７２へ第１警告取得指令信号を出力する。移動条件判定部７２は、位置取得指令部７１から第１警告取得指令信号が入力されると、警告基準時刻における携帯電話機１の位置情報を位置情報取得部１５から取得し、取得した位置情報を警告基準位置情報に設定する（ステップＳ４３）。なお、警告基準時刻は、上述したように、位置取得指令部７１が第１警告取得指令信号を移動条件判定部７２へ出力した時刻である。
【００６４】
位置取得指令部７１は、警告基準時刻に警告判定時間を加算した時刻を警告判定時刻に設定する（ステップＳ４４）。
位置取得指令部７１は、タイマ１７から入力される現在時刻が警告判定時刻になったかを判定する（ステップＳ４５）。現在時刻が警告判定時刻になるまで（Ｓ４５：ＮＯ）、ステップＳ４５の処理が継続して行われる。
【００６５】
現在時刻が警告判定時刻になると（Ｓ４５：ＹＥＳ）、位置取得指令部７１は、移動条件判定部７２へ第２警告取得指令信号を出力する。移動条件判定部７２は、位置取得指令部７１から第２警告取得指令信号が入力されると、警告判定時刻における携帯電話機１の位置情報を取得し、取得した位置情報を警告判定位置情報に設定する（ステップＳ４６）。
【００６６】
移動条件判定部７２は、警告基準位置情報と警告判定位置情報とに基づいて、携帯電話機１が警告基準時刻から警告条件移動量移動したかを判定する（ステップＳ４７）。携帯電話機１が警告条件移動量移動していなければ（Ｓ４７：ＮＯ）、位置取得指令部７１は、警告判定時刻に警告判定時間を加算した時刻を警告判定時刻に再設定する（ステップＳ４８）。そして、ステップＳ４５の処理が行われる。
【００６７】
携帯電話機１が警告条件移動量移動していれば（Ｓ４７：ＹＥＳ）、移動条件判定部７２は忘れ物検出指令信号を忘れ物検出部７３へ出力する。忘れ物検出部７３は、忘れ物検出指令信号が入力された時刻（忘れ物検出時刻）におけるタグ情報読取部１６によって読み取られたタグ情報をタグ情報読取部１６から取得する。そして、忘れ物検出部７３は、報知リスト作成部６４から入力された報知物品リストとタグ情報読取部１６から取得したタグ情報とを比較し、忘れ物の検出を行う（ステップＳ４９）。
【００６８】
忘れ物検出部７３は、忘れ物の検出の結果、忘れ物が検出されたかを判定する（ステップＳ５０）。忘れ物が検出されなければ（Ｓ５０：ＮＯ）、ステップＳ５３の処理が行われる。
忘れ物が検出されれば（Ｓ５０：ＹＥＳ）、忘れ物検出部７３は警告発生指令信号を警告発生部７４へ出力し、警告発生部７４は警告発生指令信号の入力を受けて警告音の出力処理を行う（ステップＳ５１）。また、忘れ物検出部７３は忘れ物検出時刻と忘れ物情報（各忘れ物の名称を含む。）とを忘れ物履歴登録部７５へ出力し、忘れ物履歴登録部７５は忘れ物情報を忘れ物検出時刻に対応付けて忘れ物履歴ＤＢ１２ｄに登録する（ステップＳ５２）。そして、ステップＳ５３の処理が行われる。
【００６９】
位置取得指令部７１は操作部１３から忘れ物警告動作の終了に関する押下信号が入力されたかを判定する（ステップＳ５３）。忘れ物警告動作の終了に関する押下信号が入力されていなければ（Ｓ５３：ＮＯ）、ステップＳ５４の処理が行われ、忘れ物警告動作の終了に関する押下信号が入力されていれば（Ｓ５３：ＹＥＳ）、図１１及び図１２の処理フローが終了する。
【００７０】
位置取得指令部７１には、携帯電話機１が警告基準時刻から警告条件移動量移動した場合に移動条件判定部７２から警告継続指令信号が入力される。位置取得指令部７１は、警告継続指令信号の入力を受けて、移動条件判定部７２へ第１警告取得指令信号を出力する。移動条件判定部７２は、位置取得指令部７１から第１警告取得指令信号が入力されると、新たな警告基準時刻における携帯電話機１の位置情報を位置情報取得部１５から取得し、取得した位置情報を警告基準位置情報に設定する（ステップＳ５４）。
【００７１】
位置取得指令部７１は、新たな警告基準時刻に警告判定時間を加算した時刻を警告判定時刻に設定する（ステップＳ５５）。そして、ステップＳ４５の処理が行われる。
≪補足≫
本発明は上記の実施の形態で説明した内容に限定されず、本発明の目的とそれに関連又は付随する目的を達成するためのいかなる形態においても実施可能であり、例えば、以下であってもよい。
【００７２】
（１）上記の実施の形態において説明した物品報知機能及び忘れ物警告機能を、携帯電話機以外の携帯端末に搭載するようにしてもよい。
（２）上記の実施の形態では、報知基準時刻をユーザによって指定された時刻としたが、これに限られるものではない。報知基準時刻は、例えば、アラーム鳴動時刻であってもよいし、アラーム鳴動時刻又はユーザによって指定された時刻から所定の時間加算した時刻であってもよい。
【００７３】
（３）上記の実施の形態において、携帯電話機の位置情報の取得に、例えばジャイロスコープを利用してもよい。
（４）上記の実施の形態では、携帯電話機が報知基準時刻から報知条件移動量移動することを報知移動条件としているが、報知移動条件はこれに限られるものではなく、例えば次のようなものであってもよい。
【００７４】
報知移動条件は、携帯電話機が報知基準時刻における受信電波の受信強度に対して受信強度が所定量変動した場所へ移動することであってもよい。
この場合、携帯電話機に受信電波の受信強度を測定する強度測定手段を搭載するようにする。そして、移動条件判定部は、報知基準時刻において測定される受信電波の受信強度と報知基準時刻以降に測定される受信電波の受信強度とを比較することによって、携帯電話機が報知移動条件を満たす移動を行ったか否かを判定するようにする。
【００７５】
また、報知移動条件は、携帯電話機が報知基準時刻における接続先の無線基地局と別の無線基地局に接続される場所へ移動することであってもよい。
この場合、携帯電話機に無線基地局から送信される信号から当該無線基地局を識別するための基地局識別情報を取得する基地局取得手段を搭載するようにする。そして、移動条件判定部は、報知基準時刻において取得される基地局識別情報と報知基準時刻以降に取得される基地局識別情報とを比較することによって、携帯電話機が報知移動条件を満たす移動を行ったか否かを判定するようにする。
【００７６】
なお、上記の実施の形態では、携帯電話機が警告基準時刻から警告条件移動量移動することを警告移動条件としているが、警告移動条件はこれに限られるものではなく、例えば、上記に記載した報知移動条件の例を警告移動条件に適用するようにしてもよい。
（５）上記の実施の形態では、ユーザに対する所持すべき物品の報知は電子メールにて行っているが、これに限らず、ユーザに対する所持すべき物品の報知を例えば所持すべき物品の名称をマイクから音声出力することによって実現してもよい。或いは、ユーザに対する所持すべき物品の報知を、所持すべき物品の名称をポップアップ表示するとともに、ポップアップ表示をユーザに知らしめるための音或いは振動を発生させることによって実現してもよい。
【００７７】
（６）上記の実施の形態では、電子メールのメール本文に報知物品リストに含まれる物品の名称のテキストを記載することを例に挙げているが、これに限らず、物品のマークを記載するようにしてもよく、物品の写真を添付するようにしてもよい。
（７）上記の実施の形態は、報知物品リストに列挙された物品の全てにＲＦタグが添付されていることを前提とし、忘れ物警告機能において報知物品リストに列挙された全ての物品を忘れ物の警告の対象としている。
【００７８】
しかしながら、報知物品リストに列挙された物品の全てに必ずしもＲＦタグが添付されているとは限らないことから、報知物品リストに列挙された物品のうちＲＦタグが添付された物品のみを忘れ物の警告の対象とするようにしてもよく、例えば、次のようにして実現することができる。
制御部１１は、ユーザが報知メールにて報知された所持すべき物品を所持した後にユーザにより行われるＲＦタグの読取指示操作を検出したときに、タグ情報読取部１６からタグ情報読取部１６によって読み取られたタグ情報を取得する。
或いは、例えば、制御部１１は、図１１のステップＳ４２（「報知物品リストを電子メールにて報知」）から所定時間（例えば、５分）経過したときに、タグ情報読取部１６からタグ情報読取部１６によって読み取られたタグ情報を取得する。
【００７９】
そして、忘れ物検出部７３は、報知物品リストに列挙された物品のうち、タグ情報が読み取られた物品を、ＲＦタグが添付された物品として忘れ物の警告の対象とする。
続いて、忘れ物検出部７３は、ステップＳ４９において、報知物品リストに列挙された物品の代わりに、忘れ物の警告の対象とした物品の中から、自機が警告条件移動量移動したときにタグ情報読取部１６によりタグ情報が読み取られなかったＲＦタグが添付された物品を忘れ物として検出するようにしてもよい。
【産業上の利用可能性】
【００８０】
本発明は、ユーザに対する所持すべき物品の報知や、ユーザに対する忘れ物の警告に利用することができる。
【図面の簡単な説明】
【００８１】
【図１】第１の実施の形態の携帯電話機を含むシステムのシステム構成図。
【図２】第１の実施の形態の携帯電話機の構成図。
【図３】図２の記憶部に記憶されているスケジュールデータベースの一例を示す図。
【図４】図２の記憶部に記憶されている標準物品データベースの一例を示す図。
【図５】図２の記憶部に記憶されている天候物品データベースの一例を示す図。
【図６】図２の記憶部に記憶されている忘れ物履歴データベースの一例を示す図。
【図７】図２の表示部に表示される標準物品登録画面の一例を示す図。
【図８】図２の表示部に表示される天候物品登録画面の一例を示す図。
【図９】図２の制御部の機能構成図。
【図１０】図２の制御部が行う物品登録動作の流れを示すフローチャート。
【図１１】図２の制御部が行う物品報知動作及び忘れ物警告動作の流れを示すフローチャート。
【図１２】図２の制御部が行う物品報知動作及び忘れ物警告動作の流れを示すフローチャート。
【符号の説明】
【００８２】
１  携帯電話機
６  サーバ（天気予報提供用）
７  ＧＰＳ衛星
１１  制御部
１２  記憶部
１２ａ  スケジュールデータベース
１２ｂ  標準物品データベース
１２ｃ  天候物品データベース
１２ｄ  忘れ物履歴データベース
１５  位置情報取得部
１６  タグ情報読取部
５０  登録処理部
５１  表示処理部
５２  物品登録部
６０  報知処理部
６１，７１  位置取得指令部
６２，７２  移動条件判定部
６３  予報情報取得部
６４  報知リスト作成部
６５  メール処理部
７０  警告処理部
７３  忘れ物検出部
７４  警告発生部
７５  忘れ物履歴登録部
【図１】
2009075820.tif 000003
【図２】
2009075820.tif 000004
【図３】
2009075820.tif 000005
【図４】
2009075820.tif 000006
【図５】
2009075820.tif 000007
【図６】
2009075820.tif 000008
【図７】
2009075820.tif 000009
【図８】
2009075820.tif 000010
【図９】
2009075820.tif 000011
【図１０】
2009075820.tif 000012
【図１１】
2009075820.tif 000013
【図１２】
2009075820.tif 000014